(57)【要約】【課題】複数組の主リアクトルおよび補助リアクトルを備える電力変換器のコンパクト化を図る。【解決手段】ソフトスイッチングコンバータ１００は、３つの主リアクトル１０ａ，１０ｂ，１０ｃと、３つの主リアクトル用端子台２０ａ，２０ｂ，２０ｃと、３つの補助リアクトル３０ａ，３０ｂ，３０ｃと、３つの補助リアクトル用端子台４０ａ，４０ｂ，４０ｃとを備える。主リアクトル１０ａ，１０ｂ，１０ｃと、主リアクトル用端子台２０ａ，２０ｂ，２０ｃとを、それぞれ、第１の直線上に配置する。また、補助リアクトル３０ａ，３０ｂ，３０ｃを、それぞれ、第１の直線と並行する第２の直線上に配置する。補助リアクトル用端子台４０ａ，４０ｂ，４０ｃは、それぞれ、補助リアクトル３０ａ，３０ｂ，３０ｃに積み重ねて配置する。【選択図】図１
2011067026.tif 000002
【特許請求の範囲】
【請求項１】
電力変換器であって、
主リアクトルと、
前記主リアクトルへの入力を行うための主リアクトル入力端子、および、前記主リアクトルからの出力を行うための主リアクトル出力端子を有する主リアクトル用端子台と、
補助リアクトルと、
を複数組備え、
複数の前記主リアクトルと、複数の前記主リアクトル用端子台とは、それぞれ、第１の直線上に配置されており、
複数の前記補助リアクトルは、それぞれ、前記第１の直線と並行する第２の直線上に配置されている、
電力変換器。
【請求項２】
請求項１記載の電力変換器であって、
前記主リアクトル用端子台において、前記主リアクトル入力端子、および、前記主リアクトル出力端子は、前記主リアクトル用端子台を該主リアクトル用端子台の配置面に対して垂直な方向から見たときに、該方向について互いに異なる位置に配置されている、
電力変換器。
【請求項３】
請求項２記載の電力変換器であって、さらに、
前記補助リアクトルへの入力を行うための補助リアクトル入力端子、および、前記補助リアクトルからの出力を行うための補助リアクトル出力端子を有する補助リアクトル用端子台を複数備え、
前記補助リアクトル用端子台は、前記補助リアクトルを該補助リアクトルの配置面に対して垂直な方向から見たときに、前記補助リアクトルと前記補助リアクトル用端子台とが互いに重なる位置に配置されている、
電力変換器。
【請求項４】
請求項３記載の電力変換器であって、さらに、
前記複数の主リアクトルに流れる電流をそれぞれ測定するための複数の電流センサを備え、
前記複数の電流センサは、それぞれ、前記第１の直線の前記第２の直線側の領域において、前記第１の直線と並行する第３の直線上に配置されている、
電力変換器。
【請求項５】
請求項４記載の電力変換器であって、さらに、
前記複数の電流センサ、および、複数の前記補助リアクトル入力端子にそれぞれ接続される第１の導電部材と、
複数の前記補助リアクトル出力端子にそれぞれ接続される第２の導電部材と、
前記第１の導電部材と前記第２の導電部材との絶縁を確保しつつ、前記第１の導電部材、および、前記第２の導電部材を支持する支持部材と、
を含む導電部材集合体を備え、
前記導電部材集合体は、前記第１ないし第３の直線に並行して延びるように設けられている、
電力変換器。
【発明の詳細な説明】
【技術分野】
【０００１】
本発明は、電力変換器に関するものである。
【背景技術】
【０００２】
電力変換器は、リアクトルを備える。そして、電力変換器には、ソフトスイッチングコンバータがある。このソフトスイッチングコンバータは、例えば、燃料電池の出力電圧を昇圧するために用いられ、例えば、いわゆる燃料電池自動車等に搭載される。
【０００３】
このソフトスイッチングコンバータは、周知の通り、主リアクトルと補助リアクトルとを備える。そして、例えば、三相駆動方式等、複相駆動方式のソフトスイッチングコンバータを構成する場合、主リアクトルと補助リアクトルとは、複数組用いられることになる。
【先行技術文献】
【特許文献】
【０００４】
【特許文献１】特開２００５−５７９２８号公報
【発明の概要】
【発明が解決しようとする課題】
【０００５】
上述した複相駆動方式のソフトスイッチングコンバータを、例えば、燃料電池自動車等の限られたスペースに搭載するためには、コンパクト化、すなわち、複数組の主リアクトルおよび補助リアクトル等の各種部品をコンパクトに集積することが求められる。特に、燃料電池自動車に上記ソフトスイッチングコンバータを搭載する場合には、燃料電池自動車のセンターコンソール（運転席と助手席との間の床下）等、比較的幅が狭いスペースに搭載可能とすることが求められることが多い。しかし、従来、上述したコンパクト化については考慮されていなかった。
【０００６】
本発明は、上述の課題を解決するためになされたものであり、複数組の主リアクトルおよび補助リアクトルを備える電力変換器のコンパクト化を図ることを目的とする。
【課題を解決するための手段】
【０００７】
本発明は、上述の課題の少なくとも一部を解決するためになされたものであり、以下の形態又は適用例として実現することが可能である。
【０００８】
［適用例１］電力変換器であって、主リアクトルと、前記主リアクトルへの入力を行うための主リアクトル入力端子、および、前記主リアクトルからの出力を行うための主リアクトル出力端子を有する主リアクトル用端子台と、補助リアクトルと、を複数組備え、複数の前記主リアクトルと、複数の前記主リアクトル用端子台とは、それぞれ、第１の直線上に配置されており、複数の前記補助リアクトルは、それぞれ、前記第１の直線と並行する第２の直線上に配置されている、電力変換器。
【０００９】
適用例１の電力変換器によって、電力変換器を構成する各種部品の配置領域について、複数の主リアクトル、および、複数の主リアクトル用端子台の配置方向に対して直交する方向、すなわち、上記第１の直線に直交する方向の幅を、他の配置とするよりも小さくし、電力変換器のコンパクト化を図ることができる。この結果、比較的幅が狭いスペースに電力変換器を設置することができる。
【００１０】
［適用例２］適用例１記載の電力変換器であって、前記主リアクトル用端子台において、前記主リアクトル入力端子、および、前記主リアクトル出力端子は、前記主リアクトル用端子台を該主リアクトル用端子台の配置面に対して垂直な方向から見たときに、該方向について互いに異なる位置に配置されている、電力変換器。
【００１１】
適用例２の電力変換器では、主リアクトル用端子台において、主リアクトル入力端子、および、主リアクトル出力端子が立体的に配置されるので、これらが平面的に並べて配置される場合よりもデッドスペースを減少させて、電力変換器をコンパクトに構成することができる。
【００１２】
［適用例３］適用例２記載の電力変換器であって、さらに、前記補助リアクトルへの入力を行うための補助リアクトル入力端子、および、前記補助リアクトルからの出力を行うための補助リアクトル出力端子を有する補助リアクトル用端子台を複数備え、前記補助リアクトル用端子台は、前記補助リアクトルを該補助リアクトルの配置面に対して垂直な方向から見たときに、前記補助リアクトルと前記補助リアクトル用端子台とが互いに重なる位置に配置されている、電力変換器。
【００１３】
適用例３の電力変換器では、補助リアクトルと補助リアクトル用端子台とが立体的に積み重ねて配置されるので、これらが平面的に並べて配置される場合よりもデッドスペースを減少させて、電力変換器をコンパクトに構成することができる。
【００１４】
［適用例４］適用例３記載の電力変換器であって、さらに、前記複数の主リアクトルに流れる電流をそれぞれ測定するための複数の電流センサを備え、前記複数の電流センサは、それぞれ、前記第１の直線の前記第２の直線側の領域において、前記第１の直線と並行する第３の直線上に配置されている、電力変換器。
【００１５】
なお、適用例４の電力変換器において、第２の直線と第３の直線とは、互いに異なる直線であってもよいし、互いに同一の直線であってもよい。
【００１６】
［適用例５］適用例４記載の電力変換器であって、さらに、前記複数の電流センサ、および、複数の前記補助リアクトル入力端子にそれぞれ接続される第１の導電部材と、複数の前記補助リアクトル出力端子にそれぞれ接続される第２の導電部材と、前記第１の導電部材と前記第２の導電部材との絶縁を確保しつつ、前記第１の導電部材、および、前記第２の導電部材を支持する支持部材と、を含む導電部材集合体を備え、前記導電部材集合体は、前記第１ないし第３の直線に並行して延びるように設けられている、電力変換器。
【００１７】
適用例５の電力変換器では、導電部材集合体を備えるので、第１の導電部材と第２の導電部材との短絡を防止したり、これらの接続部への接続作業をやりやすくしたりすることができる。また、適用例５の電力変換器では、上記導電部材集合体を上記第１ないし第３の直線に並行して延びるように設けるので、上記第１の導電部材、および、上記第２の導電部材を接続したときに、電力変換器を構成する各種部品の配置領域について、複数の主リアクトル、および、複数の主リアクトル用端子台の配置方向に対して直交する方向の幅が大きくなるのを抑制することができる。
【００１８】
本発明は、上述した種々の特徴を必ずしも全て備えている必要はなく、その一部を省略して構成することもできる。
【図面の簡単な説明】
【００１９】
【図１】本発明の電力変換器の一実施例としてのソフトスイッチングコンバータ１００の概略構成を部分的に示す斜視図である。
【図２】ソフトスイッチングコンバータ１００を、図１に示したｚ方向、すなわち、配置面ＦＳに対して垂直な方向から見た平面図である。
【図３】ソフトスイッチングコンバータ１００を、図１に示したｘ方向から見た側面図である。
【図４】図２におけるＧ−Ｇ断面図である。
【図５】四相駆動方式のソフトスイッチングコンバータ１００Ａの平面図である。
【発明を実施するための形態】
【００２０】
以下、本発明の実施の形態について、実施例に基づき説明する。
Ａ．実施例：
図１は、本発明の電力変換器の一実施例としてのソフトスイッチングコンバータ１００の概略構成を部分的に示す斜視図である。
【００２１】
ソフトスイッチングコンバータ１００は、三相駆動方式のソフトスイッチングコンバータであり、図示するように、配置面ＦＳ上に、３組の主リアクトルおよび補助リアクトル、すなわち、３つの主リアクトル１０ａ，１０ｂ，１０ｃと、３つの補助リアクトル３０ａ，３０ｂ，３０ｃと、を備えている。また、ソフトスイッチングコンバータ１００は、３つの主リアクトル１０ａ，１０ｂ，１０ｃのそれぞれに用いられる３つの主リアクトル用端子台２０ａ，２０ｂ，２０ｃを備えている。また、ソフトスイッチングコンバータ１００は、３つの補助リアクトル３０ａ，３０ｂ，３０ｃのそれぞれに用いられる３つの補助リアクトル用端子台４０ａ，４０ｂ，４０ｃを備えている。なお、図１には、図示の都合上、補助リアクトル３０ｂは描かれていない。
【００２２】
主リアクトル用端子台２０ａは、主リアクトル１０ａへの入力を行うための入力端子２２ｉａと、主リアクトル１０ａからの出力を行うための出力端子２２ｏａとを備えている。そして、入力端子２２ｉａは、主リアクトル用端子台２０ａの内部に埋め込まれた導電部材を介して、主リアクトル１０ａの入力端子１０ｉａと導通している。また、出力端子２２ｏａは、主リアクトル用端子台２０ａの内部に埋め込まれた導電部材を介して、主リアクトル１０ａの出力端子１０ｏａと導通している。
【００２３】
これと同様に、主リアクトル用端子台２０ｂは、主リアクトル１０ｂへの入力を行うための入力端子２２ｉｂと、主リアクトル１０ａからの出力を行うための出力端子２２ｏｂとを備えている。そして、入力端子２２ｉｂは、主リアクトル用端子台２０ｂの内部に埋め込まれた導電部材を介して、主リアクトル１０ｂの入力端子１０ｉｂと導通している。また、出力端子２２ｏｂは、主リアクトル用端子台２０ｂの内部に埋め込まれた導電部材を介して、主リアクトル１０ｂの出力端子１０ｏｂと導通している。
【００２４】
また、主リアクトル用端子台２０ｃは、主リアクトル１０ｃへの入力を行うための入力端子２２ｉｃと、主リアクトル１０ｃからの出力を行うための出力端子２２ｏｃとを備えている。そして、入力端子２２ｉｃは、主リアクトル用端子台２０ｃの内部に埋め込まれた導電部材を介して、主リアクトル１０ｃの入力端子１０ｉｃと導通している。また、出力端子２２ｏｃは、主リアクトル用端子台２０ｃの内部に埋め込まれた導電部材を介して、主リアクトル１０ｃの出力端子１０ｏｃと導通している。
【００２５】
また、ソフトスイッチングコンバータ１００は、主リアクトル１０ａ，１０ｂにそれぞれ流れる電流を測定するための電流センサ５０ａと、主リアクトル１０ｃに流れる電流を測定するための電流センサ５０ｂとを備えている。電流センサ５０ａは、主リアクトル用端子台２０ａにおける入力端子２２ｉａ、および、主リアクトル用端子台２０ｂにおける入力端子２２ｉｂと、バスバー２４ａ、および、バスバー２４ｂによって、それぞれ、互いに接続されている。また、電流センサ５０ｂは、主リアクトル用端子台２０ｃにおける入力端子２２ｉｃと、バスバー２４ｃによって、互いに接続されている。また、主リアクトル用端子台２０ａにおける出力端子２２ｏａ、主リアクトル用端子台２０ｂにおける出力端子２２ｏｂ、主リアクトル用端子台２０ｃにおける出力端子２２ｏｃには、それぞれ、バスバー２６ａ，２６ｂ，２６ｃが接続されている。なお、電流センサ５０ａは、主リアクトル１０ａ，１０ｂにそれぞれ流れる電流を測定するものであるから、実質的に、主リアクトル１０ａ用の電流センサと、主リアクトル１０ｂ用の電流センサとが備えられていることと同義である。
【００２６】
補助リアクトル用端子台４０ａは、補助リアクトル３０ａへの入力を行うための入力端子４２ｉａと、補助リアクトル３０ａからの出力を行うための出力端子４２ｏａとを備えている。また、補助リアクトル用端子台４０ｂは、補助リアクトル３０ｂへの入力を行うための入力端子４２ｉｂと、補助リアクトル３０ｂからの出力を行うための出力端子４２ｏｂとを備えている。また、補助リアクトル用端子台４０ｃは、補助リアクトル３０ｃへの入力を行うための入力端子４２ｉｃと、補助リアクトル３０ｃからの出力を行うための出力端子４２ｏｃとを備えている。
【００２７】
また、ソフトスイッチングコンバータ１００は、バスバーアッシー６０を備えている。バスバーアッシー６０は、複数のバスバーを、絶縁性を有する支持体によって一体的に支持したものである。バスバーアッシー６０は、［課題を解決するための手段］における導電部材集合体に相当する。
【００２８】
そして、バスバーアッシー６０におけるバスバー６２ａ，６２ｂ，６２ｃは、補助リアクトル用端子台４０ａにおける入力端子４２ｉａ、補助リアクトル用端子台４０ｂにおける入力端子４２ｉｂ、補助リアクトル用端子台４０ｃにおける入力端子４２ｉｃに、それぞれ接続されている。また、バスバーアッシー６０は、電流センサ５０ａ，５０ｂにも接続されている。なお、図示は省略しているが、バスバーアッシー６０におけるバスバー６２ａ，６２ｂ，６２ｃは、バスバーアッシー６０の内部に埋め込まれたバスバーによって、他の装置に接続されるバスバー６２ｅとつながっている。
【００２９】
また、バスバーアッシー６０におけるバスバー６４ａ，６４ｂ，６４ｃは、補助リアクトル用端子台４０ａにおける出力端子４２ｏａ、補助リアクトル用端子台４０ｂにおける出力端子４２ｏｂ、補助リアクトル用端子台４０ｃにおける出力端子４２ｏｃに、それぞれ接続されている。なお、図示は省略しているが、バスバーアッシー６０における６４ａ，６４ｂ，６４ｃは、バスバーアッシー６０の内部に埋め込まれたバスバーによって、他の装置に接続されるバスバー６４ｅと一体的につながっている。
【００３０】
バスバーアッシー６０の内部に埋め込まれたバスバーによってつながっているバスバー６２ａ，６２ｂ，６２ｃ，６２ｅは、［課題を解決するための手段］における第１の導電部材に相当する。また、バスバーアッシー６０の内部に埋め込まれたバスバーによってつながっているバスバー６４ａ，６４ｂ，６４ｃ，６４ｅは、［課題を解決するための手段］における第２の導電部材に相当する。また、バスバーアッシー６０において、上述した複数のバスバーを一体的に支持する、絶縁性を有する支持体（符号省略）は、［課題を解決するための手段］における支持部材に相当する。
【００３１】
図２は、ソフトスイッチングコンバータ１００を、図１に示したｚ方向、すなわち、配置面ＦＳに対して垂直な方向から見た平面図である。図示するように、３つの主リアクトル１０ａ，１０ｂ，１０ｃは、直線ＡＢ上に配置されている。また、３つの補助リアクトル３０ａ，３０ｂ，３０ｃは、それぞれ、直線ＡＢと並行する直線ＣＤ上の、主リアクトル１０ａ，１０ｂ，１０ｃと互いに隣り合う位置に配置されている。また、２つの電流センサ５０ａ，５０ｂは、それぞれ、直線ＡＢの直線ＣＤ側の領域において、直線ＡＢと並行する直線ＥＦ上の、主リアクトル用端子台２０ａ，２０ｂ、主リアクトル用端子台２０ｃと互いに隣り合う位置に配置されている。直線ＡＢは、［課題を解決するための手段］における第１の直線に相当する。また、直線ＣＤは、［課題を解決するための手段］における第２の直線に相当する。また、直線ＥＦは、［課題を解決するための手段］における第３の直線に相当する。
【００３２】
また、補助リアクトル用端子台４０ａ，４０ｂ，４０ｃは、それぞれ、補助リアクトル３０ａ，３０ｂ，３０ｃと互いに重なる位置に配置されている。つまり、補助リアクトル用端子台４０ａ，４０ｂ，４０ｃは、それぞれ、補助リアクトル３０ａ，３０ｂ，３０ｃに積み重ねて配置されている。なお、図１，２から分かるように、本実施例では、ソフトスイッチングコンバータ１００を図１に示したｚ方向から見たときに、補助リアクトル用端子台４０ａ，４０ｂ，４０ｃの外形形状は、それぞれ、補助リアクトル３０ａ，３０ｂ，３０ｃの外形形状とほぼ同じである。
【００３３】
図３は、ソフトスイッチングコンバータ１００を、図１に示したｘ方向から見た側面図である。図示するように、主リアクトル用端子台２０ｃにおいて、入力端子２２ｉｃと、出力端子２２ｏｃとは、図示した上下２段に、立体的に配置されている。すなわち、主リアクトル用端子台２０ｃにおいて、入力端子２２ｉｃ、および、出力端子２２ｏｃは、主リアクトル用端子台２０ｃを配置面ＦＳ（図１参照）に対して垂直な方向から見たときに、この方向について互いに異なる位置に配置されている。そして、バスバーアッシー６０、電流センサ５０ｂと、出力端子２２ｏｃに接続されたバスバー２６ｃとは、立体交差している（図１参照）。これらの配置は、主リアクトル用端子台２０ａ，２０ｂにおいても同様である。
【００３４】
図４は、図２におけるＧ−Ｇ断面図である。図示するように、補助リアクトル用端子台４０ｃは、補助リアクトル３０ｃに積み重ねて配置されている。なお、図４から分かるように、本実施例では、補助リアクトル３０ｃに補助リアクトル用端子台４０ｃを積み重ねたときの高さは、主リアクトル１０ｃの高さとほぼ等しい。これらの配置および高さ関係は、補助リアクトル３０ａ，３０ｂ、および、補助リアクトル用端子台４０ａ，４０ｂについても同様である。
【００３５】
以上説明した本実施例のソフトスイッチングコンバータ１００によれば、ソフトスイッチングコンバータ１００を構成する各種部品の配置領域（図１における配置面ＦＳ）について、３つの主リアクトル１０ａ，１０ｂ，１０ｃ、および、３つの主リアクトル用端子台２０ａ，２０ｂ，２０ｃの配置方向に対して直交する方向の幅（図１に示した幅Ｗ）を、他の配置とするよりも小さくし、ソフトスイッチングコンバータ１００のコンパクト化を図ることができる。この結果、例えば、いわゆる燃料電池自動車のセンターコンソール等、比較的幅が狭いスペースにソフトスイッチングコンバータ１００を設置することができる。
【００３６】
また、ソフトスイッチングコンバータ１００では、主リアクトル用端子台２０ａ，２０ｂ，２０ｃにおいて、入力端子２２ｉａ，２２ｉｂ，２２ｉｃ、および、出力端子２２ｏａ，２２ｏｂ，２２ｏｃが、それぞれ、立体的に配置されるので、これらが平面的に並べて配置される場合よりもデッドスペースを減少させて、ソフトスイッチングコンバータ１００をコンパクトに構成することができる。
【００３７】
また、ソフトスイッチングコンバータ１００では、補助リアクトル３０ａ，３０ｂ，３０ｃと、補助リアクトル用端子台４０ａ，４０ｂ，４０ｃとが、それぞれ、立体的に積み重ねて配置されるので、これらが平面的に並べて配置される場合よりもデッドスペースを減少させて、ソフトスイッチングコンバータ１００をコンパクトに構成することができる。
【００３８】
また、ソフトスイッチングコンバータ１００では、バスバーアッシー６０が直線ＡＢ，ＣＤ，ＥＦに並行して延びるように設けられているので、図１に示した幅Ｗが大きくなるのを抑制することができる。
【００３９】
Ｂ．変形例：
以上、本発明の実施の形態について説明したが、本発明はこのような実施の形態になんら限定されるものではなく、その要旨を逸脱しない範囲内において種々なる態様での実施が可能である。例えば、以下のような変形が可能である。
【００４０】
Ｂ１．変形例１：
上記実施例では、ソフトスイッチングコンバータ１００は、三相駆動方式であるものとしたが、本発明は、これに限られない。本発明は、複相駆動方式のソフトスイッチングコンバータに適用可能である。
【００４１】
図５は、四相駆動方式のソフトスイッチングコンバータ１００Ａの平面図である。図５と図２との比較から分かるように、ソフトスイッチングコンバータ１００Ａは、ソフトスイッチングコンバータ１００の構成の他に、さらに、主リアクトル１０ｄ、主リアクトル用端子台２０ｄ、補助リアクトル３０ｄ、補助リアクトル用端子台４０ｄ等を備えている。そして、主リアクトル１０ｄ、および、主リアクトル用端子台２０ｄは、直線ＡＢ上に配置されている。また、補助リアクトル３０ｄは、直線ＣＤ上に配置されている。そして、補助リアクトル３０ｄには、補助リアクトル用端子台４０ｄが積み重ねて配置されている。
【００４２】
また、ソフトスイッチングコンバータ１００Ａでは、電流センサ５０ｂは、２つの主リアクトル１０ｃ，１０ｄに流れる電流を測定することが可能であり、主リアクトル用端子台２０ｄにおける入力端子と、電流センサ５０ｂとは、バスバー２４ｄによって接続されている。また、主リアクトル用端子台２０ｄにおける出力端子には、バスバー２６ｄが接続されている。なお、主リアクトル用端子台２０ｄの構造は、主リアクトル用端子台２０ａ，２０ｂ、２０ｃの構造と同じである。
【００４３】
また、ソフトスイッチングコンバータ１００Ａでは、ソフトスイッチングコンバータ１００におけるバスバーアッシー６０の代わりに、バスバーアッシー６０Ａを備えている。このバスバーアッシー６０Ａは、バスバーアッシー６０の構成の他に、バスバー６２ｄ，６４ｄを備えている。そして、バスバー６２ｄは、補助リアクトル用端子台４０ｄにおける入力端子に接続されている。また、バスバー６４ｄは、補助リアクトル用端子台４０ｄにおける出力端子に接続されている。また、バスバー６２ｄは、バスバーアッシー６０Ａの内部に埋め込まれたバスバーによって、他の装置に接続されるバスバー６２ｅとつながっている。また、バスバー６４ｄは、バスバーアッシー６０Ａの内部に埋め込まれたバスバーによって、他の装置に接続されるバスバー６４ｅと一体的につながっている。
【００４４】
変形例１のソフトスイッチングコンバータ１００Ａによっても、上記実施例のソフトスイッチングコンバータ１００と同様に、ソフトスイッチングコンバータ１００Ａのコンパクト化を図ることができる。
【００４５】
なお、図示は省略するが、二相駆動方式のソフトスイッチングコンバータを構成する場合には、上記実施例のソフトスイッチングコンバータ１００における主リアクトル１０ｃ、主リアクトル用端子台２０ｃ、補助リアクトル３０ｃ、補助リアクトル用端子台４０ｃ等を、適宜、省略すればよい。
【００４６】
Ｂ２．変形例２：
上記実施例では、例えば、主リアクトル用端子台２０ａにおいて、入力端子２２ｉａと、出力端子２２ｏａとは、図３に示したように、立体的に２段に配置されているものとしたが、本発明は、これに限られない。主リアクトル用端子台２０ａにおいて、入力端子２２ｉａと２２ｏａとを平面的に並べて配置するようにしてもよい。
【００４７】
Ｂ３．変形例３：
上記実施例では、例えば、補助リアクトル用端子台４０ａは、補助リアクトル３０ａに積み重ねて配置されるものとしたが、本発明は、これに限られない。例えば、補助リアクトル３０ａと補助リアクトル用端子台４０ａとを平面的に並べて配置するようにしてもよい。
【００４８】
また、補助リアクトル用端子台４０ａにおける入力端子４２ｉａと出力端子４２ｏａ、補助リアクトル用端子台４０ｂにおける入力端子４２ｉｂと出力端子４２ｏｂ、補助リアクトル用端子台４０ｃにおける入力端子４２ｉｃと出力端子４２ｏｃの配置位置は、それぞれを入れ換えた配置位置であってもよい。
【００４９】
Ｂ４．変形例４：
上記実施例では、電流センサ５０ａは、主リアクトル１０ａ，１０ｂにそれぞれ流れる電流を測定するものとしたが、主リアクトル１０ａに流れる電流センサと、主リアクトル１０ｂに流れる電流センサとを別個に設けるようにしてよい。これは、図５に示した電流センサ５０ａ，５０ｂについても同様である。
【００５０】
また、上記実施例では、隣接して配置された主リアクトル用端子台２０ａと、主リアクトル用端子台２０ｂとは、別体であるものとしたが、これらを一体化するようにしてもよい。これは、図５に示した２０ｃ，２０ｄについても同様である。
【００５１】
また、上記実施例では、隣接して配置された補助リアクトル用端子台４０ｂと、補助リアクトル用端子台４０ｃとは、別体であるものとしたが、これらを一体化するようにしてもよい。
【００５２】
Ｂ５.変形例５：
上記実施例では、バスバーアッシー６０において、バスバー６２ａ，６２ｂ，６２ｃは、バスバーアッシー６０の内部に埋め込まれたバスバーによって、すべて、他の装置に接続される共通のバスバー６２ｅとつながっているものとしたが、バスバー６２ａ，６２ｂ，６２ｃにそれぞれ対応した、他の装置に接続されるバスバーを別個に設けるようにしてもよい。また、バスバーアッシー６０において、バスバー６４ａ，６４ｂ，６４ｃは、バスバーアッシー６０の内部に埋め込まれたバスバーによって、すべて、他の装置に接続される共通のバスバー６４ｅとつながっているものとしたが、バスバー６４ａ，６４ｂ，６４ｃにそれぞれ対応した、他の装置に接続されるバスバーを別個に設けるようにしてもよい。なお、これらは、バスバーアッシー６０上の任意の位置に設けることができる。
【００５３】
Ｂ６．変形例６：
上記実施例では、複数のバスバーを一体的に支持したバスバーアッシー６０を用いるものとしたが、本発明は、これに限られない。各端子にバスバーを個別に接続するようにしてもよい。ただし、バスバーアッシー６０を用いることによって、バスバー間における短絡を防止したり、各端子への複数のバスバーの接続作業をやりやすくしたりすることができる。
【００５４】
Ｂ７．変形例７：
上記実施例では、本発明をソフトスイッチングコンバータに適用した例を示したが、本発明は、他の電力変換器に適用することもできる。本発明は、一般に、主リアクトルと、主リアクトル用端子台と、補助リアクトルと、を複数組備える電力変換器に適用可能である。
【符号の説明】
【００５５】
１００，１００Ａ…ソフトスイッチングコンバータ
１０ａ，１０ｂ，１０ｃ，１０ｄ…主リアクトル
１０ｉａ，１０ｉｂ，１０ｉｃ…入力端子
１０ｏａ，１０ｏｂ，１０ｏｃ…出力端子
２０ａ，２０ｂ，２０ｃ，２０ｄ…主リアクトル用端子台
２２ｉａ，２２ｉｂ，２２ｉｃ…入力端子
２２ｏａ，２２ｏｂ，２２ｏｃ…出力端子
２４ａ，２４ｂ，２４ｃ，２４ｄ…バスバー
２６ａ，２６ｂ，２６ｃ，２６ｄ…バスバー
３０ａ，３０ｂ，３０ｃ…補助リアクトル
４０ａ，４０ｂ，４０ｃ，４０ｄ…補助リアクトル用端子台
４２ｉａ，４２ｉｂ，４２ｉｃ…入力端子
４２ｏａ，４２ｏｂ，４２ｏｃ…出力端子
５０ａ，５０ｂ…電流センサ
６０…バスバーアッシー
６２ａ，６２ｂ，６２ｃ，６２ｄ，６２ｅ…バスバー
６４ａ，６４ｂ，６４ｃ，６４ｄ，６４ｅ…バスバー
【図１】
2011067026.tif 000003
【図２】
2011067026.tif 000004
【図３】
2011067026.tif 000005
【図４】
2011067026.tif 000006
【図５】
2011067026.tif 000007